(57)【要約】【課題】ＯＬＴと正常なＯＮＵとの間の通信を停止しないで異常なＯＮＵを特定することを課題とする。【解決手段】ＯＮＵからそれぞれ送信された信号をＯＬＴにおいて排他的に受信できる状態で、測定した信号の光受信レベルから全てのＯＮＵが信号を発光しない非発光時の光受信レベルをそれぞれ差し引いた値を算出し、算出した値をタイミングに対応するＯＮＵごとにそれぞれ保持し、ＯＮＵからそれぞれ送信された信号のうち所定のタイミングで送信された信号が排他的に受信できていないと判定される場合に、測定した信号の光受信レベルから保持された所定のタイミングに対応するＯＮＵの光受信レベルおよび非発光時の光受信レベルを差し引いた値を算出し、算出した値を保持されたＯＮＵごとの値とそれぞれ比較し、比較の結果が一致した値に対応するＯＮＵを異常ＯＮＵとして特定する。【選択図】        図１
2008104028.tif 000002
【特許請求の範囲】
【請求項１】
ＯＬＴに接続する単一の光ファイバが分岐されて複数のＯＮＵにそれぞれ接続し、当該ＯＬＴにより許可された当該ＯＮＵごとの排他的なタイミングで当該ＯＮＵから当該ＯＬＴに対して発光による信号をそれぞれ送信するシステムにおいて、当該複数のＯＮＵの中から異常な前記発光を行う異常ＯＮＵを特定する異常ＯＮＵ特定装置であって、
前記ＯＬＴにおいて受信される前記信号の光受信レベルを測定する光受信レベル測定手段と、
前記タイミングで前記ＯＮＵからそれぞれ送信された信号を前記ＯＬＴにおいて排他的に受信できる状態で、当該タイミングごとの当該信号の光受信レベルを前記光受信レベル測定手段によってそれぞれ測定した後に、測定した当該信号の光受信レベルから全てのＯＮＵが信号を発光しない非発光時の光受信レベルをそれぞれ差し引いた値を算出し、当該算出した値を当該タイミングに対応するＯＮＵごとにそれぞれ保持する光受信レベル保持手段と、
前記複数のＯＮＵからそれぞれ送信された信号を前記ＯＬＴにおいて排他的に受信できているか否かを判定する判定手段と、
前記ＯＮＵからそれぞれ送信された信号のうち所定のタイミングで送信された信号が前記判定手段によって排他的に受信できていないと判定される場合に、当該所定のタイミングで送信された信号の光受信レベルを前記光受信レベル測定手段によって測定した後に、測定した当該信号の光受信レベルから前記光受信レベル保持手段によって保持された当該所定のタイミングに対応する前記ＯＮＵの光受信レベルおよび前記非発光時の光受信レベルを差し引いた値を算出し、当該算出した値を前記光受信レベル保持手段によって保持された前記ＯＮＵごとの値とそれぞれ比較し、当該比較の結果が一致した値に対応するＯＮＵを異常ＯＮＵとして特定する異常ＯＮＵ特定手段と、
を備えたことを特徴とする異常ＯＮＵ特定装置。
【請求項２】
前記異常ＯＮＵ特定手段は、前記ＯＮＵからそれぞれ送信された信号のうち複数のタイミングで送信された信号が前記判定手段によって排他的に受信できていないと判定される場合に、当該複数のタイミングで送信された信号の光受信レベルを前記光受信レベル測定手段によって当該タイミングごとにそれぞれ測定した後に、測定した当該タイミングごとの信号の光受信レベルから前記光受信レベル保持手段によって保持された当該タイミングに対応する前記ＯＮＵの光受信レベルおよび前記非発光時の光受信レベルをそれぞれ差し引いた値を算出し、当該算出した値を当該光受信レベル保持手段によって保持された前記ＯＮＵごとの値とそれぞれ比較し、当該比較の結果が一致した値に対応するＯＮＵを連続発光を行う異常ＯＮＵとして特定することを特徴とする請求項１に記載の異常ＯＮＵ特定装置。
【請求項３】
前記光受信レベル保持手段によって前記ＯＮＵごとに保持された値に基づいて当該ＯＮＵの経年変化を判定する経年変化判定手段をさらに備えたことを特徴とする請求項１または２に記載の異常ＯＮＵ特定装置。
【請求項４】
ＯＬＴに接続する単一の光ファイバが分岐されて複数のＯＮＵにそれぞれ接続し、当該ＯＬＴにより許可された当該ＯＮＵごとの排他的なタイミングで当該ＯＮＵから当該ＯＬＴに対して発光による信号をそれぞれ送信するシステムにおいて、当該複数のＯＮＵの中から異常な前記発光を行う異常ＯＮＵを特定する方法をコンピュータに実行させる異常ＯＮＵ特定プログラムであって、
前記ＯＬＴにおいて受信される前記信号の光受信レベルを測定する光受信レベル測定手順と、
前記タイミングで前記ＯＮＵからそれぞれ送信された信号を前記ＯＬＴにおいて排他的に受信できる状態で、当該タイミングごとの当該信号の光受信レベルを前記光受信レベル測定手順によってそれぞれ測定した後に、測定した当該信号の光受信レベルから全てのＯＮＵが信号を発光しない非発光時の光受信レベルをそれぞれ差し引いた値を算出し、当該算出した値を当該タイミングに対応するＯＮＵごとにそれぞれ保持する光受信レベル保持手順と、
前記複数のＯＮＵからそれぞれ送信された信号を前記ＯＬＴにおいて排他的に受信できているか否かを判定する判定手順と、
前記ＯＮＵからそれぞれ送信された信号のうち所定のタイミングで送信された信号が前記判定手順によって排他的に受信できていないと判定される場合に、当該所定のタイミングで送信された信号の光受信レベルを前記光受信レベル測定手順によって測定した後に、測定した当該信号の光受信レベルから前記光受信レベル保持手順によって保持された当該所定のタイミングに対応する前記ＯＮＵの光受信レベルおよび前記非発光時の光受信レベルを差し引いた値を算出し、当該算出した値を前記光受信レベル保持手順によって保持された前記ＯＮＵごとの値とそれぞれ比較し、当該比較の結果が一致した値に対応するＯＮＵを異常ＯＮＵとして特定する異常ＯＮＵ特定手順と、
をコンピュータに実行させることを特徴とする異常ＯＮＵ特定プログラム。
【請求項５】
ＯＬＴに接続する単一の光ファイバが分岐されて複数のＯＮＵにそれぞれ接続し、当該ＯＬＴにより許可された当該ＯＮＵごとの排他的なタイミングで当該ＯＮＵから当該ＯＬＴに対して発光による信号をそれぞれ送信するシステムにおいて、当該複数のＯＮＵの中から異常な前記発光を行う異常ＯＮＵを特定する異常ＯＮＵ特定方法であって、
前記ＯＬＴにおいて受信される前記信号の光受信レベルを測定する光受信レベル測定工程と、
前記タイミングで前記ＯＮＵからそれぞれ送信された信号を前記ＯＬＴにおいて排他的に受信できる状態で、当該タイミングごとの当該信号の光受信レベルを前記光受信レベル測定工程によってそれぞれ測定した後に、測定した当該信号の光受信レベルから全てのＯＮＵが信号を発光しない非発光時の光受信レベルをそれぞれ差し引いた値を算出し、当該算出した値を当該タイミングに対応するＯＮＵごとにそれぞれ保持する光受信レベル保持工程と、
前記複数のＯＮＵからそれぞれ送信された信号を前記ＯＬＴにおいて排他的に受信できているか否かを判定する判定工程と、
前記ＯＮＵからそれぞれ送信された信号のうち所定のタイミングで送信された信号が前記判定工程によって排他的に受信できていないと判定される場合に、当該所定のタイミングで送信された信号の光受信レベルを前記光受信レベル測定工程によって測定した後に、測定した当該信号の光受信レベルから前記光受信レベル保持工程によって保持された当該所定のタイミングに対応する前記ＯＮＵの光受信レベルおよび前記非発光時の光受信レベルを差し引いた値を算出し、当該算出した値を前記光受信レベル保持工程によって保持された前記ＯＮＵごとの値とそれぞれ比較し、当該比較の結果が一致した値に対応するＯＮＵを異常ＯＮＵとして特定する異常ＯＮＵ特定工程と、
を含んだことを特徴とする異常ＯＮＵ特定方法。
【発明の詳細な説明】
【技術分野】
【０００１】
この発明は、異常ＯＮＵ特定装置、異常ＯＮＵ特定プログラムおよび異常ＯＮＵ特定方法に関する。
【背景技術】
【０００２】
従来より、通信事業者などの収容局（以下、局）から加入者宅に光ファイバを引き込むＦＴＴＨ（Fiber  To  The  Home）を実現する技術の１つとして、１本の光ファイバを分岐装置（光カプラ）によって分岐して複数の加入者宅に引き込む「ＰＯＮ（Passive  Optical  Network）」が利用されている。ＰＯＮでは、図１１に示すように、局内の光加入者終端装置（以下、ＯＬＴ：Optical  Line  Terminal）と、加入者宅側に設置された複数の光網終端装置（以下、ＯＮＵ：Optical  Network  Unit）とが、ポイント−マルチポイント型に構成される。
【０００３】
また、ＰＯＮでは、図１１に示すように、ＯＬＴが、各ＯＮＵに対して送信許可情報（データを送信するタイミングを許可する情報）を送信し（図１１の（１）を参照）、各ＯＮＵが、送信許可情報によって許可されたタイミングでＯＬＴに対してデータを送信することで（図１１の（２）を参照）、ＯＬＴと各ＯＮＵとの間の通信が行われる。この時、図１１に示すように、１本の光ファイバに複数のＯＮＵのデータ（光）が光多重されることになるが、許可されたタイミングで全てのデータが送信されれば、データ同士が衝突するおそれはない（図１１の（３）を参照）。
【０００４】
ところで、ＰＯＮでは、上記したように、１本の光ファイバに複数のＯＮＵのデータ（光）が光多重されることになるので、加入者宅側に設置された複数のＯＮＵの中に、許可されていないタイミングでデータを送信する異常なＯＮＵが存在すると、他の正常なＯＮＵから送信されたデータと衝突するおそれがあり、ＯＬＴと正常なＯＮＵとの間の通信を妨げるおそれがある。この異常なＯＮＵによって妨げられた通信を復旧させるには、異常なＯＮＵを特定し、異常なＯＮＵによるデータの送信を止めなければならない。
【０００５】
このため、異常なＯＮＵを特定することを目的とした様々な技術が提案されている。例えば、図１２に示す手法では、ＯＬＴが、ＯＮＵ（Ｂ）に対して許可したタイミングで送信されたデータを受信できないことを検知すると（図１２の（１）を参照）、まず、全ＯＮＵのデータの送信を停止する送信停止制御を行い（図１２の（２）を参照）、その後、ＯＮＵ（Ａ）についてのみデータの送信を許可し、ＯＮＵ（Ａ）が正常に動作しているか否かを確認する（図１２の（３）を参照）。ＯＮＵ（Ａ）が正常に動作している場合には、次に、ＯＬＴは、ＯＮＵ（Ｂ）についてのみデータの送信を許可し、ＯＮＵ（Ｂ）が正常に動作しているか否かを確認する（図１２の（４）を参照）。ＯＮＵ（Ｂ）が正常に動作している場合には、次に、ＯＬＴは、ＯＮＵ（Ｃ）についてのみデータの送信を許可し、ＯＮＵ（Ｃ）が正常に動作しているか否かを確認する（図１２の（５）を参照）。図１２に示す事例では、ＯＮＵ（Ｃ）の動作に異常が確認される場合であるので、続いて、ＯＬＴは、ＯＮＵ（Ｃ）についてのみデータの送信を停止し、他のＯＮＵ（Ａ）およびＯＮＵ（Ｂ）に対してデータの送信を許可する（図１２の（６）を参照）。
【０００６】
また、同様に、特許文献１に開示されている手法においても、ＯＬＴが、許可したタイミングで送信されたデータを受信できないことを検知すると、まず、全ＯＮＵに対して通信帯域の割り当てを行わないことを指令する命令を送信し、その後、ＯＮＵ各々について正常に動作しているか否かを順に確認する。
【０００７】
【特許文献１】特開２００２−３５９５９６号公報
【発明の開示】
【発明が解決しようとする課題】
【０００８】
ところで、上記した従来の技術では、異常なＯＮＵを特定するにあたり、ＯＬＴと正常なＯＮＵとの間の通信を停止しなければならないという課題がある。すなわち、従来の技術では、例えば、異常なＯＮＵ（Ｃ）を特定するにあたり、ＯＬＴが、まず、全ＯＮＵのデータの送信を停止する送信停止制御を行わなければならず、この結果、ＯＬＴと正常なＯＮＵ（Ａ）との間の通信およびＯＬＴと正常なＯＮＵ（Ｂ）との間の通信が停止されることになる。
【０００９】
そこで、この発明は、上記した従来技術の課題を解決するためになされたものであり、ＯＬＴと正常なＯＮＵとの間の通信を停止しないで異常なＯＮＵを特定することが可能な異常ＯＮＵ特定装置、異常ＯＮＵ特定プログラムおよび異常ＯＮＵ特定方法を提供することを目的とする。
【課題を解決するための手段】
【００１０】
上述した課題を解決し、目的を達成するため、請求項１、４、または５に係る発明は、ＯＬＴに接続する単一の光ファイバが分岐されて複数のＯＮＵにそれぞれ接続し、当該ＯＬＴにより許可された当該ＯＮＵごとの排他的なタイミングで当該ＯＮＵから当該ＯＬＴに対して発光による信号をそれぞれ送信するシステムにおいて、当該複数のＯＮＵの中から異常な前記発光を行う異常ＯＮＵを特定する異常ＯＮＵ特定装置であって、前記ＯＬＴにおいて受信される前記信号の光受信レベルを測定する光受信レベル測定手段と、前記タイミングで前記ＯＮＵからそれぞれ送信された信号を前記ＯＬＴにおいて排他的に受信できる状態で、当該タイミングごとの当該信号の光受信レベルを前記光受信レベル測定手段によってそれぞれ測定した後に、測定した当該信号の光受信レベルから全てのＯＮＵが信号を発光しない非発光時の光受信レベルをそれぞれ差し引いた値を算出し、当該算出した値を当該タイミングに対応するＯＮＵごとにそれぞれ保持する光受信レベル保持手段と、前記複数のＯＮＵからそれぞれ送信された信号を前記ＯＬＴにおいて排他的に受信できているか否かを判定する判定手段と、前記ＯＮＵからそれぞれ送信された信号のうち所定のタイミングで送信された信号が前記判定手段によって排他的に受信できていないと判定される場合に、当該所定のタイミングで送信された信号の光受信レベルを前記光受信レベル測定手段によって測定した後に、測定した当該信号の光受信レベルから前記光受信レベル保持手段によって保持された当該所定のタイミングに対応する前記ＯＮＵの光受信レベルおよび前記非発光時の光受信レベルを差し引いた値を算出し、当該算出した値を前記光受信レベル保持手段によって保持された前記ＯＮＵごとの値とそれぞれ比較し、当該比較の結果が一致した値に対応するＯＮＵを異常ＯＮＵとして特定する異常ＯＮＵ特定手段と、を備えたことを特徴とする。
【００１１】
また、請求項２に係る発明は、上記の発明において、前記異常ＯＮＵ特定手段は、前記ＯＮＵからそれぞれ送信された信号のうち複数のタイミングで送信された信号が前記判定手段によって排他的に受信できていないと判定される場合に、当該複数のタイミングで送信された信号の光受信レベルを前記光受信レベル測定手段によって当該タイミングごとにそれぞれ測定した後に、測定した当該タイミングごとの信号の光受信レベルから前記光受信レベル保持手段によって保持された当該タイミングに対応する前記ＯＮＵの光受信レベルおよび前記非発光時の光受信レベルをそれぞれ差し引いた値を算出し、当該算出した値を当該光受信レベル保持手段によって保持された前記ＯＮＵごとの値とそれぞれ比較し、当該比較の結果が一致した値に対応するＯＮＵを連続発光を行う異常ＯＮＵとして特定することを特徴とする。
【００１２】
また、請求項３に係る発明は、上記の発明において、前記光受信レベル保持手段によって前記ＯＮＵごとに保持された値に基づいて当該ＯＮＵの経年変化を判定する経年変化判定手段をさらに備えたことを特徴とする。
【発明の効果】
【００１３】
請求項１、４、または５の発明によれば、ＯＬＴに接続する単一の光ファイバが分岐されて複数のＯＮＵにそれぞれ接続し、ＯＬＴにより許可されたＯＮＵごとの排他的なタイミングでＯＮＵからＯＬＴに対して発光による信号をそれぞれ送信するシステムにおいて、複数のＯＮＵの中から異常な発光を行う異常ＯＮＵを特定する異常ＯＮＵ特定装置であって、ＯＬＴにおいて受信される信号の光受信レベルを測定し、ＯＮＵからそれぞれ送信された信号をＯＬＴにおいて排他的に受信できる状態で、タイミングごとの信号の光受信レベルをそれぞれ測定した後に、測定した信号の光受信レベルから全てのＯＮＵが信号を発光しない非発光時の光受信レベルをそれぞれ差し引いた値を算出し、算出した値をタイミングに対応するＯＮＵごとにそれぞれ保持し、複数のＯＮＵからそれぞれ送信された信号をＯＬＴにおいて排他的に受信できているか否かを判定し、ＯＮＵからそれぞれ送信された信号のうち所定のタイミングで送信された信号が排他的に受信できていないと判定される場合に、所定のタイミングで送信された信号の光受信レベルを測定した後に、測定した信号の光受信レベルから保持された所定のタイミングに対応するＯＮＵの光受信レベルおよび非発光時の光受信レベルを差し引いた値を算出し、算出した値を保持されたＯＮＵごとの値とそれぞれ比較し、比較の結果が一致した値に対応するＯＮＵを異常ＯＮＵとして特定するので、正常時（ＯＮＵからそれぞれ送信された信号をＯＬＴにおいて排他的に受信できる状態）に測定された信号の光受信レベルを予め保持し、信号が正常に（排他的に）受信できていないと判定される場合に、予め保持した正常時の光受信レベルを用いて異常ＯＮＵを特定する手法であることから、ＯＬＴと正常なＯＮＵとの間の通信を停止しないで異常なＯＮＵを特定することが可能になる。
【００１４】
また、請求項２の発明によれば、異常ＯＮＵ特定装置は、ＯＮＵからそれぞれ送信された信号のうち複数のタイミングで送信された信号が排他的に受信できていないと判定される場合に、複数のタイミングで送信された信号の光受信レベルをタイミングごとにそれぞれ測定した後に、測定したタイミングごとの信号の光受信レベルから保持されたタイミングに対応するＯＮＵの光受信レベルおよび非発光時の光受信レベルをそれぞれ差し引いた値を算出し、算出した値を保持されたＯＮＵごとの値とそれぞれ比較し、比較の結果が一致した値に対応するＯＮＵを連続発光を行う異常ＯＮＵとして特定するので、ＯＬＴと正常なＯＮＵとの間の通信を停止しないで、連続発光を行う異常なＯＮＵを特定することが可能になる。
【００１５】
また、請求項３の発明によれば、異常ＯＮＵ特定装置は、ＯＮＵごとに保持された値に基づいてＯＮＵの経年変化を判定するので、ＯＮＵの経年変化を判定することも可能になる。
【発明を実施するための最良の形態】
【００１６】
以下に添付図面を参照して、本発明に係る異常ＯＮＵ特定装置、異常ＯＮＵ特定プログラムおよび異常ＯＮＵ特定方法の実施例を詳細に説明する。なお、以下では、実施例で用いる主要な用語、実施例１に係る異常ＯＮＵ特定装置の概要および特徴、実施例１に係る異常ＯＮＵ特定装置の構成および処理の手順、実施例１の効果を順に説明し、次に、他の実施例について説明する。
【実施例１】
【００１７】
［用語の説明］
まず最初に、以下の実施例で用いる主要な用語を説明する。以下の実施例で用いる「ＯＬＴ（Optical  Line  Terminal）」および「ＯＮＵ（Optical  Network  Unit）」は、いずれも、「ＰＯＮ（Passive  Optical  Network）」によるシステムを構成する装置である。ここで、「ＰＯＮ」とは、通信事業者などの収容局（以下、局）から加入者宅に光ファイバを引き込む技術の１つであり、１本の光ファイバを分岐装置（光カプラ）によって分岐して複数の加入者宅に引き込む技術である。また、「ＯＬＴ」とは、局側に設置される光加入者終端装置のことであり、「ＯＮＵ」とは、加入者宅側に設置される光網終端装置のことである。すなわち、「ＰＯＮ」とは、「ＯＬＴ」に接続する１本の光ファイバが分岐されて複数の「ＯＮＵ」にそれぞれ接続するシステムである。
【００１８】
ところで、「ＰＯＮ」によるシステムでは、上記したように、「ＯＬＴ」に接続する１本の光ファイバが分岐されて複数の「ＯＮＵ」に接続することから、複数の「ＯＮＵ」から「ＯＬＴ」に対してそれぞれ送信される信号は、１本の光ファイバ上で衝突することがないように、「ＯＬＴ」により許可された「ＯＮＵ」ごとの排他的なタイミングで送信される。具体的には、「ＯＬＴ」が各「ＯＮＵ」に対して送信許可情報（信号を送信するタイミングを許可する情報）を送信し、各「ＯＮＵ」が、送信許可情報によって許可された排他的なタイミングで「ＯＬＴ」に対して信号を送信する。
【００１９】
すなわち、全ての「ＯＮＵ」が「ＯＬＴ」により許可された排他的なタイミングで信号を送信することが正常な通信の前提であり、例えば、ある異常な「ＯＮＵ」が「ＯＬＴ」により許可されたタイミングを守らずに信号を送信すると、他の正常な「ＯＮＵ」が送信した信号と１本の光ファイバ上で衝突するおそれがあり、「ＯＬＴ」と正常な「ＯＮＵ」との間の通信を妨げるおそれがある。したがって、このような衝突が生じた場合には、まず、どの「ＯＮＵ」が「ＯＬＴ」により許可されたタイミングを守らずに信号を送信しているのかを特定しなければならない。
【００２０】
ここで、「ＯＮＵ」による信号の送信は発光により行われるので、「ＯＬＴ」により許可されたタイミングを守らずに信号を送信するということは、すなわち、異常な発光を行うということである。以上のことから、「ＰＯＮ」によるシステムでは、複数の「ＯＮＵ」の中から異常な発光を行う「ＯＮＵ」を特定する機能を有することが重要であるといえる。
【００２１】
［実施例１に係る異常ＯＮＵ特定装置の概要および特徴］
続いて、図１を用いて実施例１に係る異常ＯＮＵ特定装置の概要および特徴を説明する。図１は、実施例１に係る異常ＯＮＵ特定装置の概要および特徴を説明するための図である。
【００２２】
実施例１に係る異常ＯＮＵ特定装置は、上記したように、ＯＬＴに接続する単一の光ファイバが分岐されて複数のＯＮＵにそれぞれ接続し、ＯＬＴにより許可されたＯＮＵごとの排他的なタイミングでＯＮＵからＯＬＴに対して発光による信号をそれぞれ送信するシステムにおいて、複数のＯＮＵの中から異常な発光を行う異常ＯＮＵを特定することを概要とし、ＯＬＴと正常なＯＮＵとの間の通信を停止しないで異常なＯＮＵを特定することを主たる特徴とする。
【００２３】
なお、以下に説明するように、実施例１に係る異常ＯＮＵ特定装置の処理には、正常時の信号の光受信レベルを測定して予め保持する段階と、通信時の信号の光受信レベルを適宜測定し、異常な信号を検知した場合に異常ＯＮＵを特定する段階とがある。以下では、かかる２つの段階に分けて、異常ＯＮＵ特定装置の主たる特徴を簡単に説明する。
【００２４】
図１の（ａ）は、正常時の信号の光受信レベルを測定して予め保持する段階を示す図である。異常ＯＮＵ特定装置は、図１の（ａ）に示すように、まず、ＯＮＵからそれぞれ送信された信号をＯＬＴにおいて排他的に受信できる状態で、タイミングごとの信号の光受信レベルをそれぞれ測定する（図１の（ａ）の（１）を参照）。例えば、異常ＯＮＵ特定装置が、ＯＮＵ（Ａ）、ＯＮＵ（Ｂ）、およびＯＮＵ（Ｃ）からそれぞれ送信された信号をＯＬＴにおいて排他的に受信できる状態で、信号の光受信レベルをそれぞれ測定した結果が、Ｐａ、Ｐｂ、およびＰｃであるとする。なお、正常時（ＯＮＵからそれぞれ送信された信号をＯＬＴにおいて排他的に受信できる状態）においては、ＯＮＵごとの光受信レベル（Ｐａ、Ｐｂ、およびＰｃ）は、距離による減衰などの影響でＯＮＵごとに異なる値を示すものであり、また、同一のＯＮＵにおいては、ほぼ一定の値を示すものである。
【００２５】
次に、実施例１に係る異常ＯＮＵ特定装置は、測定した信号の光受信レベルから、全てのＯＮＵが信号を発光しない非発光時の光受信レベルをそれぞれ差し引いた値を算出し、算出した値を、タイミングに対応するＯＮＵごとにそれぞれ保持する（図１の（ａ）の（２）を参照）。例えば、異常ＯＮＵ特定装置は、測定した信号の光受信レベル（Ｐａ、Ｐｂ、およびＰｃ）から、非発光時の光受信レベル（Ｐｚ）をそれぞれ差し引いた値（ＰＡ、ＰＢ、およびＰＣ）を算出し、算出した値をＯＮＵごとにそれぞれ保持する。ここで、上記したように、正常時においては、ＯＮＵごとの光受信レベル（Ｐａ、Ｐｂ、およびＰｃ）は、ＯＮＵごとに異なる値を示すものであることから、算出された値（ＰＡ、ＰＢ、およびＰＣ）もＯＮＵごとに異なる値を示し、また、同一のＯＮＵにおいては、ほぼ一定の値を示すものであることから、算出された値も、同一のＯＮＵにおいては、ほぼ一定の値を示すものである。
【００２６】
図１の（ｂ）は、通信時の信号の光受信レベルを適宜測定し、異常な信号を検知した場合に異常ＯＮＵを特定する段階を示す図である。異常ＯＮＵ特定装置は、図１の（ｂ）に示すように、まず、複数のＯＮＵからそれぞれ送信された信号をＯＬＴにおいて排他的に受信できているか否かを判定し、ＯＮＵからそれぞれ送信された信号のうち、所定のタイミングで送信された信号が受信できていないと判定される場合に、所定のタイミングで送信された信号の光受信レベルを測定する（図１の（ｂ）の（１）を参照）。例えば、異常ＯＮＵ特定装置は、ＯＮＵ（Ａ）、ＯＮＵ（Ｂ）、およびＯＮＵ（Ｃ）からそれぞれ送信された信号をＯＬＴにおいて排他的に受信できているか否かを判定し、所定のタイミング（ＯＮＵ（Ｂ）のタイミング）で送信された信号が受信できていないと判定される場合に、ＯＮＵ（Ｂ）のタイミングで送信された信号の光受信レベルを測定する。
【００２７】
次に、異常ＯＮＵ特定装置は、測定された信号の光受信レベルから、図１の（ａ）において保持された所定のタイミングに対応するＯＮＵの光受信レベル、および、非発光時の光受信レベルを差し引いた値を算出する（図１の（ｂ）の（２）を参照）。例えば、異常ＯＮＵ特定装置は、測定された信号の光受信レベルから、ＯＮＵ（Ｂ）のタイミングに対応するＯＮＵの光受信レベルＰＢ、および、非発光時の光受信レベルＰｚを差し引いた値を算出する。
【００２８】
続いて、実施例１に係る異常ＯＮＵ特定装置は、算出した値を図１の（ａ）において保持されたＯＮＵごとの値とそれぞれ比較し、比較の結果が一致した値に対応するＯＮＵを異常ＯＮＵとして特定する（図１の（ｂ）の（３）および（４）を参照）。例えば、異常ＯＮＵ特定装置は、算出した値を、ＰＡ、ＰＢ、およびＰＣとそれぞれ比較し、比較の結果が一致した値（ＰＣ）に対応するＯＮＵ（Ｃ）を異常ＯＮＵとして特定する。
【００２９】
このようにして、実施例１に係る異常ＯＮＵ特定装置は、正常時（ＯＮＵからそれぞれ送信された信号をＯＬＴにおいて排他的に受信できる状態）に測定された信号の光受信レベルを予め保持し、信号が正常に（排他的に）受信できていないと判定された場合に、予め保持した正常時の光受信レベルを用いて異常ＯＮＵを特定する手法であることから、ＯＬＴと正常なＯＮＵとの間の通信を停止しないで異常なＯＮＵを特定することが可能になる。
【００３０】
［実施例１に係る異常ＯＮＵ特定装置の構成］
次に、図２〜図５を用いて、実施例１に係る異常ＯＮＵ特定装置１０の構成を説明する。なお、以下では、本発明に係る異常ＯＮＵ特定装置を含んで構成されるＯＬＴを実施例として説明するが、本発明はこれに限られるものではなく、異常ＯＮＵ特定装置は、ＯＬＴとは異なる装置として構成されてもよい。図２は、実施例１におけるＯＬＴの構成を示すブロック図であり、図３は、光受信レベル保持部を説明するための図であり、図４および図５は、異常ＯＮＵ特定部を説明するための図である。
【００３１】
図２に示すように、実施例１におけるＯＬＴは、光受信レベル測定部１１と、光受信レベル保持部１２と、判定部１３と、異常ＯＮＵ特定部１４と、ＭＵＸ２１と、Ｅ／Ｏ２２と、Ｏ／Ｅ２３と、メインカウンタ２４とから構成される。
【００３２】
ＭＵＸ２１は、網側（加入者宅側の反対側）から受信したデータや、各ＯＮＵに対して送信する送信許可信号などを、各ＯＮＵに対して送信する。Ｅ／Ｏ２２は、電気（Electrical）信号を光（Optical）信号に変換し、Ｏ／Ｅ２３は、光（Optical）信号を電気（Electrical）信号に変換する。メインカウンタ２４は、ＯＮＵごとの排他的なタイミング（送信許可信号によって許可したタイミング）をカウントするなどする。
【００３３】
光受信レベル測定部１１は、ＯＬＴにおいて受信される信号の光受信レベルを測定する。具体的には、光受信レベル測定部１１は、ＯＮＵからそれぞれ送信された信号をＯＬＴにおいて排他的に受信できる状態で、タイミングごとの信号をＯ／Ｅ２３から受信して信号の光受信レベルをそれぞれ測定し、測定した値を光受信レベル保持部１２に送信する。また、光受信レベル測定部１１は、ＯＬＴにおいて通常受信される信号をＯ／Ｅ２３から受信して信号の光受信レベルを測定し、測定した値を判定部１３や異常ＯＮＵ特定部１４に送信するなどする。
【００３４】
光受信レベル保持部１２は、正常時のＯＮＵごとの信号の光受信レベルをそれぞれ保持する。具体的には、光受信レベル保持部１２は、ＯＮＵからそれぞれ送信された信号をＯＬＴにおいて排他的に受信できる状態（正常時）で（図３の（ａ）を参照）、タイミングごとの信号の光受信レベルが光受信レベル測定部１１によってそれぞれ測定された値を光受信レベル測定部１１から受信し（図３の（ｂ）を参照）、受信した信号の光受信レベルから全てのＯＮＵが信号を発光しない非発光時の光受信レベルをそれぞれ差し引いた値を算出し（図３の（ｃ）を参照）、算出した値をタイミングに対応するＯＮＵごとにそれぞれ保持する（図３の（ｄ）を参照）。光受信レベル保持部１２は、判定部１３や異常ＯＮＵ特定部１４による処理に先立ち、正常時のＯＮＵごとの光受信レベルを予め保持する。
【００３５】
かかる光受信レベル保持部１２は、図２に示すように、デコード１２ａと、メモリ１２ｂと、テーブル作成部１２ｃと、テーブル１２ｄとから構成される。デコード１２ａは、各ＯＮＵの送信許可信号とメインカウンタ２４とを受信することで、タイミングおよびタイミングに対応するＯＮＵを特定し、特定したＯＮＵの光受信レベルをメモリ１２ｂに一時的に記憶させるためのアドレスをメモリ１２ｂに送信する。一方、メモリ１２ｂは、光受信レベル測定部１１から受信した光受信レベルと、デコード１２ａから受信したアドレスとを用いて、ＯＮＵごとの光受信レベルを一時的に記憶する。テーブル作成部１２ｃは、アドレスを指定してＯＮＵごとの光受信レベルを受信し、非発光時の光受信レベルをそれぞれ差し引くなどして算出した値を、テーブル１２ｄに記憶させる。すなわち、正常時のＯＮＵごとの信号の光受信レベルは、テーブル１２ｄに保持される。なお、上記した光受信レベル保持部１２の構成や具体的なデータのやりとりは一例にすぎず、例えば、メモリ１２ｂに一時的に記憶することなく、直接テーブル１２ｄに算出した値を保持する手法など、正常時のＯＮＵごとの信号の光受信レベルを保持する手法であれば、具体的な手法はいずれでもよい。
【００３６】
判定部１３は、複数のＯＮＵからそれぞれ送信された信号をＯＬＴにおいて排他的に受信できているか否かを判定する。具体的には、判定部１３は、光受信レベル測定部１１によって測定された信号の光受信レベルを受信し、信号をＯＬＴにおいて排他的に受信できているか否かを判定し、判定した結果を、異常ＯＮＵ特定部１４に送信するなどする。なお、実施例１においては、判定部１３が、光受信レベル測定部１１によって測定された信号の光受信レベルを受信して判定を行う手法を説明したが、本発明はこれに限られるものではなく、光受信レベル測定部１１による測定とは別に、判定部１３が別途判定を行い、判定の結果、所定のタイミングで送信された信号が排他的に受信できていないと判定された場合に、光受信レベル測定部１１が所定のタイミングで送信された信号の光受信レベルを測定し、異常ＯＮＵ特定部１４に送信する手法などにも、本発明を同様に適用することができる。
【００３７】
異常ＯＮＵ特定部１４は、ＯＮＵからそれぞれ送信された信号のうち、所定のタイミングで送信された信号が排他的に受信できていないと判定された場合に、異常ＯＮＵを特定する。具体的には、異常ＯＮＵ特定部１４は、ＯＮＵからそれぞれ送信された信号のうち所定のタイミングで送信された信号が判定部１３によって排他的に受信できていないと判定された場合に（図４の（ａ）を参照）、所定のタイミングで送信された信号の光受信レベルが光受信レベル測定部１１によって測定された後に（図４の（ｂ）を参照）、測定された信号の光受信レベル（ＰＸ）から、光受信レベル保持部１２によって保持された所定のタイミングに対応するＯＮＵの光受信レベル（ＰＢ）、および、非発光時の光受信レベル（Ｐｚ）を差し引いた値を算出し、算出した値を光受信レベル保持部１２によって保持されたＯＮＵごとの値とそれぞれ比較し、比較の結果が一致した値に対応するＯＮＵを異常ＯＮＵとして特定する（図４の（ｃ）を参照）。
【００３８】
かかる異常ＯＮＵ特定部１４は、図５に示すように、テーブル情報部１４ａと、テーブル情報部１４ｂと、差分部１４ｃと、比較部１４ｄと、ＯＮＵカウンタ１４ｅと、出力部１４ｆとから構成される。テーブル情報部１４ａおよびテーブル情報部１４ｂは、光受信レベル保持部１２のテーブル１２ｄに保持されたＯＮＵごとの光受信レベルをそれぞれ受信し、受信した光受信レベルを、差分部１４ｃや比較部１４ｄに送信する。
【００３９】
差分部１４ｃは、所定のタイミングで送信された信号の光受信レベルを、光受信レベル測定部１１から（もしくは判定部１３を介して）受信し、受信した光受信レベルから、所定のタイミングに対応するＯＮＵの光受信レベルおよび非発光時の光受信レベルをテーブル情報部１４ａから選択して差し引いた値を算出する。比較部１４ｄは、差分部１４ｃによって算出された値をテーブル情報部１４ｂから選択したＯＮＵごとの値とそれぞれ比較し、比較の結果を出力部１４ｆに送信する。出力部１４ｆは、比較部１４ｄから送信された比較の結果とＯＮＵカウンタ１４ｅとから、比較の結果が一致した値に対応するＯＮＵを異常ＯＮＵとして特定し、異常ＯＮＵ番号を出力する。なお、上記した異常ＯＮＵ特定部１４の構成や具体的なデータのやりとりは一例にすぎず、例えば、テーブル情報部１４ａとテーブル情報部１４ｂとを分割せずに保持する手法など、光受信レベル測定部１１によって測定された光受信レベルと、光受信レベル保持部１２に保持するＯＮＵごとの光受信レベルとを用いて異常ＯＮＵを特定する手法であれば、具体的な手法はいずれでもよい。
【００４０】
［実施例１に係る異常ＯＮＵ特定装置による処理の手順］
次に、図６および図７を用いて、実施例１におけるＯＬＴによる処理を説明する。図６は、光受信レベル保持処理を示すフローチャートであり、図７は、異常ＯＮＵ特定処理を示すフローチャートである。
【００４１】
［光受信レベル保持処理］
まず、異常ＯＮＵ特定装置１０は、ＯＮＵからそれぞれ送信された信号をＯＬＴにおいて排他的に受信したか否かを判定する（ステップＳ６０１）。排他的に受信していない場合には（ステップＳ６０１否定）、異常ＯＮＵ特定装置１０は、信号を排他的に受信したか否かを判定する処理に戻る。
【００４２】
一方、排他的に受信した場合には（ステップＳ６０１肯定）、異常ＯＮＵ特定装置１０は、タイミングごとの信号の光受信レベルをそれぞれ測定する（ステップＳ６０２）。
【００４３】
続いて、異常ＯＮＵ特定装置１０は、測定された信号の光受信レベルから、非発光時（全てＯＮＵが信号を発光しない時）の光受信レベルをそれぞれ差し引いた値を算出し、算出した値をタイミングに対応するＯＮＵごとにそれぞれ保持する（ステップＳ６０３）。
【００４４】
［異常ＯＮＵ特定処理］
まず、異常ＯＮＵ特定装置１０は、ＯＮＵからそれぞれ送信された信号のうち、所定のタイミングで送信された信号が排他的に受信できているか否かを判定する（ステップＳ７０１）。排他的に受信できていると判定された場合には（ステップＳ７０１否定）、異常ＯＮＵ特定装置１０は、信号を排他的に受信できているか否かを判定する処理に戻る。
【００４５】
一方、排他的に受信できていないと判定された場合には（ステップＳ７０１肯定）、異常ＯＮＵ特定装置１０は、所定のタイミングで送信された信号の光受信レベルを測定する（ステップＳ７０２）。
【００４６】
続いて、異常ＯＮＵ特定装置１０は、測定された光受信レベルから、所定のタイミングに対応するＯＮＵの光受信レベル、および、非発光時の光受信レベルを差し引いた値を算出し、算出した値を予め保持されたＯＮＵごとの値とそれぞれ比較する（ステップＳ７０３）。
【００４７】
すると、異常ＯＮＵ特定装置１０は、比較の結果が一致した値に対応するＯＮＵを、異常ＯＮＵとして特定する（ステップＳ７０４）。
【００４８】
このようにして、実施例１に係る異常ＯＮＵ特定装置１０は、ＯＬＴと正常なＯＮＵとの間の通信を停止しないで、異常なＯＮＵを特定することが可能になる。
【００４９】
［実施例１の効果］
上記してきたように、実施例１によれば、ＯＬＴに接続する単一の光ファイバが分岐されて複数のＯＮＵにそれぞれ接続し、ＯＬＴにより許可されたＯＮＵごとの排他的なタイミングでＯＮＵからＯＬＴに対して発光による信号をそれぞれ送信するシステムにおいて、複数のＯＮＵの中から異常な発光を行う異常ＯＮＵを特定する異常ＯＮＵ特定装置であって、ＯＬＴにおいて受信される信号の光受信レベルを測定し、ＯＮＵからそれぞれ送信された信号をＯＬＴにおいて排他的に受信できる状態で、タイミングごとの信号の光受信レベルをそれぞれ測定した後に、測定した信号の光受信レベルから全てのＯＮＵが信号を発光しない非発光時の光受信レベルをそれぞれ差し引いた値を算出し、算出した値をタイミングに対応するＯＮＵごとにそれぞれ保持し、複数のＯＮＵからそれぞれ送信された信号をＯＬＴにおいて排他的に受信できているか否かを判定し、ＯＮＵからそれぞれ送信された信号のうち所定のタイミングで送信された信号が排他的に受信できていないと判定される場合に、所定のタイミングで送信された信号の光受信レベルを測定した後に、測定した信号の光受信レベルから保持された所定のタイミングに対応するＯＮＵの光受信レベルおよび非発光時の光受信レベルを差し引いた値を算出し、算出した値を保持されたＯＮＵごとの値とそれぞれ比較し、比較の結果が一致した値に対応するＯＮＵを異常ＯＮＵとして特定するので、正常時（ＯＮＵからそれぞれ送信された信号をＯＬＴにおいて排他的に受信できる状態）に測定された信号の光受信レベルを予め保持し、信号が正常に（排他的に）受信できていないと判定される場合に、予め保持した正常時の光受信レベルを用いて異常ＯＮＵを特定する手法であることから、ＯＬＴと正常なＯＮＵとの間の通信を停止しないで異常なＯＮＵを特定することが可能になる。
【実施例２】
【００５０】
これまで、実施例１として、所定のタイミングで送信された信号が排他的に受信できていないと判定された場合に異常ＯＮＵを特定する場合について説明したが、本発明はこれに限られるものではなく、複数のタイミングで送信された信号が排他的に受信できていないと判定された場合に異常ＯＮＵを特定する場合にも、本発明を同様に適用することができる。以下では、実施例２として、複数のタイミング（例えば、１つのタイミングを除く全てのタイミング）で送信された信号が排他的に受信できていないと判定された場合に異常ＯＮＵを特定する場合について説明する。
【００５１】
実施例２に係る異常ＯＮＵ特定装置の異常ＯＮＵ特定部１４は、ＯＮＵからそれぞれ送信された信号のうち複数の信号が排他的に受信できていないと判定された場合に、異常ＯＮＵを特定する。具体的には、実施例２における異常ＯＮＵ特定部１４は、ＯＮＵからそれぞれ送信された信号のうち複数の信号（例えば、１つのタイミングを除く全ての信号）が判定部１３によって排他的に受信できていないと判定された場合に、複数のタイミングで送信された信号の光受信レベルが光受信レベル測定部１１によって測定された後に、測定されたタイミングごとの光受信レベルから、光受信レベル保持部１２によって保持されたタイミングに対応するＯＮＵの光受信レベル、および、非発光時の光受信レベルを差し引いた値をそれぞれ算出し、算出した値を光受信レベル保持部１２によって保持されたＯＮＵごとの値とそれぞれ比較し、比較の結果が一致した値に対応するＯＮＵを連続発光を行う異常ＯＮＵとして特定する。
【００５２】
かかる実施例２における異常ＯＮＵ特定部１４は、図８に示すように、比較部１４ｇが追加される点で実施例１と異なる。比較部１４ｇは、比較部１４ｄから送信された全ての比較の結果が一致した値に対応するＯＮＵを連続発光を行う異常ＯＮＵとして特定し、連続発光を行う異常ＯＮＵ番号を出力するなどする。なお、上記した比較部１４ｇの構成や具体的なデータのやりとりは一例にすぎない。
【００５３】
［実施例２の効果］
上記してきたように、実施例２によれば、異常ＯＮＵ特定装置は、ＯＮＵからそれぞれ送信された信号のうち複数のタイミングで送信された信号が排他的に受信できていないと判定される場合に、複数のタイミングで送信された信号の光受信レベルをタイミングごとにそれぞれ測定した後に、測定したタイミングごとの信号の光受信レベルから保持されたタイミングに対応するＯＮＵの光受信レベルおよび非発光時の光受信レベルをそれぞれ差し引いた値を算出し、算出した値を保持されたＯＮＵごとの値とそれぞれ比較し、比較の結果が一致した値に対応するＯＮＵを連続発光を行う異常ＯＮＵとして特定するので、ＯＬＴと正常なＯＮＵとの間の通信を停止しないで、連続発光を行う異常なＯＮＵを特定することが可能になる。
【実施例３】
【００５４】
これまで、実施例１および実施例２として、異常な発光を行う異常ＯＮＵを特定する手法について説明したが、本発明はこれに限られるものではなく、ＯＮＵの経年変化を併せて判定する手法にも、本発明を同様に適用することができる。以下では、実施例３として、ＯＮＵの経年変化を判定する手法を特に説明する。
【００５５】
実施例３における異常ＯＮＵ特定装置１０は、図９に示すように、経年変化判定部１５が追加される点で実施例１と異なる。経年変化判定部１５は、光受信レベル保持部１２（テーブル１２ｄ）によってＯＮＵごとに保持された値に基づいて、ＯＮＵの経年変化を判定する。
【００５６】
具体的には、経年変化判定部１５は、正常な発光を行う信号の光受信レベルの下限値（下限値を下回る光受信レベルの発光は、異常な発光を行う信号とみなされるものとする）もしくは上限値（上限値を上回る光受信レベルの発光は、異常な発光を行う信号とみなされるものとする）を定め、下限値（もしくは上限値）をＯＮＵごとにそれぞれ保持する。そして、経年変化判定部１５は、テーブル１２ｄに保持された正常時のＯＮＵごとの光受信レベルがメンテナンスなどによって更新された際に、光受信レベルの値と下限値（もしくは上限値）とをＯＮＵごとにそれぞれ比較し、比較の結果、下限値を下回る（もしくは上限値を上回る）光受信レベルのＯＮＵが存在する場合には、このＯＮＵに経年変化が生じたことを判定するなどする。
【００５７】
なお、経年変化判定部１５による経年変化の判定は、上記した手法に限定されるものではない。例えば、経年変化判定部１５が、正常な発光を行う信号の光受信レベルを定期的に（時系列で）ＯＮＵごとに保持するものとする。そして、経年変化判定部１５は、テーブル１２ｄに保持された正常時のＯＮＵごとの光受信レベルがメンテナンスなどによって更新された際に、定期的に（時系列で）保持されたＯＮＵごとの値とそれぞれ比較し、比較の結果、経年変化の徴候がみられる場合には（例えば、徐々に光受信レベルが低下してきたが、低下のレベルが急に大きくなったなど）、このＯＮＵに経年変化が生じたことを判定するなど、その他の手法においても、本発明を同様に適用することができる。
【００５８】
［実施例３の効果］
上記してきたように、実施例３によれば、異常ＯＮＵ特定装置は、ＯＮＵごとに保持された値に基づいてＯＮＵの経年変化を判定するので、ＯＮＵの経年変化を判定することも可能になる。
【実施例４】
【００５９】
さて、これまで実施例１〜３に係る異常ＯＮＵ特定装置について説明したが、本発明は上記した実施例以外にも、種々の異なる形態にて実施されてよいものである。そこで、以下では、実施例４に係る異常ＯＮＵ特定装置として、種々の異なる実施例を説明する。
【００６０】
［システム構成等］
本実施例において説明した各処理のうち、自動的におこなわれるものとして説明した処理（例えば、光受信レベルを保持するテーブル１２ｄの更新など）の全部または一部を手動的におこなう（例えば、コマンドを入力することによって更新するなど）こともできる。この他、上記文書中や図面中で示した処理手順、制御手順、具体的名称、各種のデータやパラメータを含む情報については、特記する場合を除いて任意に変更することができる。
【００６１】
また、図示した各装置の各構成要素は機能概念的なものであり、必ずしも物理的に図示（例えば、図２、図５など）の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６２】
［プログラム］
ところで、上記の実施例で説明した各種の処理は、あらかじめ用意されたプログラムをパーソナルコンピュータやワークステーションなどのコンピュータで実行することによって実現することができる。そこで、以下では、図１０を用いて、上記の実施例１と同様の機能を有する異常ＯＮＵ特定プログラムを実行するコンピュータの一例を説明する。図１０は、異常ＯＮＵ特定プログラムを実行するコンピュータを示す図である。
【００６３】
図１０に示すように、コンピュータ３０は、キャッシュ３１、ＲＡＭ３２、ＨＤＤ３３、ＲＯＭ３４およびＣＰＵ３５をバス３６で接続して構成される。ここで、ＲＯＭ３４には、上記の実施例１と同様の機能を発揮する光受信レベル測定プログラム３４ａ、光受信レベル保持プログラム３４ｂ、判定プログラム３４ｃ、および異常ＯＮＵ特定プログラム３４ｄが予め記憶されている。
【００６４】
そして、ＣＰＵ３５は、これらのプログラム３４ａ、３４ｂ、３４ｃ、および３４ｄを読み出して実行することで、図１０に示すように、各プログラム３４ａ、３４ｂ、３４ｃ、および３４ｄは、光受信レベル測定プロセス３５ａ、光受信レベル保持プロセス３５ｂ、判定プロセス３５ｃ、および異常ＯＮＵ特定プロセス３５ｄとなる。なお、各プロセス３５ａ、３５ｂ、３５ｃ、および３５ｄは、図２に示した、光受信レベル測定部１１、光受信レベル保持部１２、判定部１３、および異常ＯＮＵ特定部１４にそれぞれ対応する。
【００６５】
また、ＨＤＤ３３には、図１０に示すように、光受信レベルテーブル３３ａが設けられる。なお、光受信レベルテーブル３３ａは、図２に示したテーブル１２ｄに対応する。
【００６６】
ところで、上記した各プログラム３４ａ、３４ｂ、３４ｃ、および３４ｄについては、必ずしもＲＯＭ３４に記憶させておく必要はなく、例えば、コンピュータ３０に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、コンピュータ３０の内外に備えられるハードディスクドライブ（ＨＤＤ）などの「固定用の物理媒体」、さらには、公衆回線、インターネット、ＬＡＮ、ＷＡＮなどを介してコンピュータ３０に接続される「他のコンピュータ（またはサーバ）」に記憶させておき、コンピュータ３０がこれらからプログラムを読み出して実行するようにしてもよい。
【産業上の利用可能性】
【００６７】
以上のように、本発明に係る異常ＯＮＵ特定装置、異常ＯＮＵ特定プログラムおよび異常ＯＮＵ特定方法は、ＯＬＴに接続する単一の光ファイバが分岐されて複数のＯＮＵにそれぞれ接続し、ＯＬＴにより許可されたＯＮＵごとの排他的なタイミングでＯＮＵからＯＬＴに対して発光による信号をそれぞれ送信するシステムにおいて、複数のＯＮＵの中から異常な発光を行う異常ＯＮＵを特定することに有用であり、特に、ＯＬＴと正常なＯＮＵとの間の通信を停止しないで異常なＯＮＵを特定することに適する。
【図面の簡単な説明】
【００６８】
【図１】実施例１に係る異常ＯＮＵ特定装置の概要および特徴を説明するための図である。
【図２】実施例１におけるＯＬＴの構成を示すブロック図である。
【図３】光受信レベル保持部を説明するための図である。
【図４】異常ＯＮＵ特定部を説明するための図である。
【図５】異常ＯＮＵ特定部を説明するための図である。
【図６】光受信レベル保持処理を示すフローチャートである。
【図７】異常ＯＮＵ特定処理を示すフローチャートである。
【図８】実施例２における異常ＯＮＵ特定部を説明するための図である。
【図９】実施例３におけるＯＬＴの構成を示すブロック図である。
【図１０】異常ＯＮＵ特定プログラムを実行するコンピュータを示す図である。
【図１１】従来技術を説明するための図である。
【図１２】従来技術を説明するための図である。
【符号の説明】
【００６９】
１０  異常ＯＮＵ特定装置
１１  光受信レベル測定部
１２  光受信レベル保持部
１２ａ  デコード
１２ｂ  メモリ
１２ｃ  テーブル作成部
１２ｄ  テーブル
１３  判定部
１４  異常ＯＮＵ特定部
１４ａ  テーブル情報部
１４ｂ  テーブル情報部
１４ｃ  差分部
１４ｄ  比較部
１４ｅ  ＯＮＵカウンタ
１４ｆ  出力部
１４ｇ  比較部
１５  経年変化判定部
２０  ＯＬＴ
２１  ＭＵＸ
２２  Ｅ／Ｏ
２３  Ｏ／Ｅ
２４  メインカウンタ
３０  コンピュータ
３１  キャッシュ
３２  ＲＡＭ
３３  ＨＤＤ
３４  ＲＯＭ
３５  ＣＰＵ
【図１】
2008104028.tif 000003
【図２】
2008104028.tif 000004
【図３】
2008104028.tif 000005
【図４】
2008104028.tif 000006
【図５】
2008104028.tif 000007
【図６】
2008104028.tif 000008
【図７】
2008104028.tif 000009
【図８】
2008104028.tif 000010
【図９】
2008104028.tif 000011
【図１０】
2008104028.tif 000012
【図１１】
2008104028.tif 000013
【図１２】
2008104028.tif 000014